(57)【要約】【課題】  簡単な構造で製造コストを削減するとともに、ボルトに締め付ける操作を容易とし、締結効果を向上させることができるロックナットを提供すること。【解決手段】  本発明のロックナットは、ネジ孔が軸方向中央に貫通され、外周に多角形部が形成されたナットにおいて、前記多角形部の周囲に沿って凹状の溝部を形成したことを特徴とする。  また前記溝部は、ネジ軸心を中心に円柱状に形成され、多角形部の周囲に複数形成されている。また前記溝部は、溝幅が異なる状態に形成され、垂直幅が異なる状態に形成されている。【選択図】図１
2013221616.tif 000002
【特許請求の範囲】
【請求項１】
ネジ孔が軸方向中央に貫通され、外周に多角形部が形成されたナットにおいて、前記多角形部の周囲に沿って凹状の溝部を形成したことを特徴とするナット。
【請求項２】
前記溝部は、ネジ軸心を中心に円柱状に形成されている請求項１記載のナット。
【請求項３】
前記溝部は、多角形部の周囲に複数形成されている請求項１または２に記載のナット。
【請求項４】
前記溝部は、溝幅が異なる状態に形成されている請求項１乃至３のうち何れか１項に３記載のナット。
【請求項５】
前記溝部は、垂直幅が異なる状態に形成されている請求項１乃至４のうち何れか１項に記載のナット。
【発明の詳細な説明】
【技術分野】
【０００１】  本発明は、簡単な構造からなり、容易な操作で確実に締結させることができるロックナットに関する。
【背景技術】
【０００２】  一般的に、二つ以上の部材を結合するにはボルトとナットが使用される。部材を結合するには、部材の貫通孔にボルトを挿入させ、ボルトの先端よりナットを螺着させてナットを締め付ける結合させる。【０００３】  しかし、時間が経につれて、振動の発生や部材の変形によりナットが緩み、締付効力が低下するという問題が発生する。そのため、定期的に検査を行いナットの再締付を実施しなければならなかった。
【先行技術文献】
【特許文献】
【０００４】  それらの課題を解決する従来技術として、簡素な構造で、温度や経過時間に影響を受けにくく安定した緩み止め効果を得ることができる緩み止めナットがある（例えば特許文献１参照）。
上掲特許文献１の緩み止めナットは、ロッドに締結されて、該ロッドに環装されるピストンを該ロッドの軸線方向へ押圧し該ピストンを固定する緩み止めナットであって、該ロッドの軸線方向における該ピストンとの接触面の反対面において、反対面に略垂直に穿孔形成された一対の軸穴部及び、一対の縦穴部の間を連通する面状の空洞として形成された連結部からなる長穴と、緩み止めナットの外周面と長穴の連結部とを連通するように筒状に穿孔されるとともに、該筒状の孔壁に雄ねじ溝を形成された雌ねじ穴と、雄ねじ溝に螺合する雄ねじ溝を外周面に有して雌ねじ穴に締結されるセットスクリューとを備えることを特徴とする。
【特許文献１】特開２００７−２３２０３７号公報
【発明の概要】
【発明が解決しようとする課題】
【０００５】  しかしながら、上掲特許文献１の緩み止めナットは、ナットの外周に雌ねじ穴を穿孔する加工や、セットスクリューを螺合する工程等が必要とされるため、作業工程や部品点数が多くなりコスト高に繋がるという問題が生じた。【０００６】  そこで本発明は上記の点に鑑み、簡単な構造で製造コストを削減するとともに、ボルトに締め付ける操作を容易とし、さらに締結効果を向上させることができるロックナットを提供することにある。
【解決を解決するための手段】
【０００７】  上記課題を解決するために本発明のロックナットは、ネジ孔が軸方向中央に貫通され、外周に多角形部が形成されたナットにおいて、前記多角形部の周囲に沿って凹状の溝部を形成したことを特徴とする。
【０００８】  また前記溝部は、ネジ軸心を中心に円柱状に形成されている。
【０００９】  また前記溝部は、多角形部の周囲に複数形成されている。
【００１０】  また前記溝部は、溝幅が異なる状態に形成されている。
【００１１】  さらに前記溝部は、垂直幅が異なる状態に形成されている。
【発明の効果】
【００１２】  ナットの多角形部の周囲に沿って凹状の溝部を形成したことにより、ナットをボルトに螺合させ、ナットを部材に押圧した状態で締付ナットを締め付けることで、溝部が破壊されてナットがロックされた状態に固定される。
【００１３】  また、溝部を多角形部の周囲に複数形成することで、締結力を自在に調節することができ、さまざまな部材の締結が可能になる。
【図面の簡単な説明】
【００１４】
【図１】本発明におけるロックナットの全体斜視図である。
【図２】前記ロックナットの正面断面図である。
【図３】本発明のロックナットの使用例である
【図４】前記ロックナットの締結状態を示す使用例である。
【図５】溝部を二段状態に形成した状態の正面図である。
【図６】溝部を三段状態に形成した状態の正面図である。
【図７】垂直幅の狭い溝部を示す正面図である。
【図８】垂直幅の広い溝部を示す正面図である。
【発明を実施するための形態】
【００１５】  本発明のロックナットは、簡単な構造で製造コストを削減するとともに、ボルトに締め付ける操作を容易とし、締結効果を向上させることを特徴とするものである。
以下、本発明のロックナットにおける実施の形態を図面に基づいて説明する。
【００１６】  図示するロックナット１は、本体部２がやや長尺状に形成されており、軸方向中央には、ボルト１０が螺合するネジ孔３が貫通され、外周にはレンチ等の工具を係合させる多角形部４が形成されている。
【００１７】  また本発明のロックナット１は、特に、前記多角形部４の周囲に沿って凹状の溝部５が形成されている。この溝部５は、ネジ軸心を中心に円柱状に形成されている。前記多角形部４に溝部５を形成することにより、本体部２に締付ナット６と押圧ナット７が形成される。
【００１８】  また特に、前記多角形部４の周囲に沿って凹状の溝部５を形成することで、図３に示すように、押圧ナット７で部材Ａを締め付けた後、締付ナット６を締付工具で締め付けることにより溝部５に亀裂８が発生する。
【００１９】  さらに、締付ナット６を締め付けると、図４に示すように、溝部５は圧縮されて破壊され、その破断部９にて締付ナット６と押圧ナット７とを強靭にロック保持することができる。
【００２０】  また他の好適例として、図５および図６に示すように、前記溝部５は多角形部４の周囲に複数形成することができる。図５は、多角形部４に二段の溝部５ａ，５ｂを、図６は多角形部４に三段の溝部５ａ，５ｂ，５ｃを形成した状態を示す。
【００２１】  また前記溝部５ａ，５ｂ，５ｃは、溝幅Ｄを異なる状態に形成することが好ましい。溝幅Ｄは上部の溝を深く、下部の溝部を浅く形成することが望ましい。溝幅Ｄを異なる状態とすることで、締付トルクの強度により溝部５の破断箇所が異なる。締付ナット６を締め付けた際、先ず溝部５ａが、次に溝部５ｂが、最後に溝部５ｃが順次破壊される。そのため締結力を自在に調節することができ、さまざまな用途への部材の締結が可能になる。
【００２２】  また他の好適例として、図７および図８に示すように、前記溝部５ｄ，５ｅを、垂直幅Ｄが異なる状態に形成することが好ましい。図７においては溝部５ｄの垂直幅Ｄが短い状態に、図８においては溝部５ｅの垂直幅Ｄが長い状態に形成されている。そのとにより、締め付け時による溝部５の破壊強度を調節することができる。
【００２３】  なお、本発明のロックナットにおいては、溝部５を多角形部４に形成する数量、溝部５の溝幅の深さ、溝部５の垂直幅の長さ等を適宜組み合わせることで、さまざまな締結強度を任意に調整することができる。
【符号の説明】
【００２４】１    ロックナット
２    本体部
３    ネジ孔
４    多角形部
５    溝部
６    締付ナット
７    押圧ナット
８    亀裂
９    破断部
１０  ボルト
Ａ    部材
【図１】
2013221616.tif 000003
【図２】
2013221616.tif 000004
【図３】
2013221616.tif 000005
【図４】
2013221616.tif 000006
【図５】
2013221616.tif 000007
【図６】
2013221616.tif 000008
【図７】
2013221616.tif 000009
【図８】
2013221616.tif 000010